(57)【要約】【課題】内部に紙幣が収容されているメダル貸機の扉をロックするロック装置に対する不正解錠を防止する。【解決手段】従来は扉の裏面の直近にロック装置が配置されていたため、扉の周囲の隙間から針金を差し込み、ロック装置を操作して不正解錠することが可能であった。本発明においては、扉(102)の正面から見て、扉(102)の裏側に配置されている紙幣収納庫(101C)を越えて、紙幣収納庫の奥側にロック装置(200)の主要部分を配置した。これにより、扉(102)の周囲の隙間から針金を差し込んでも、ロック装置(200)を不正に操作することが不可能になった。【選択図】図２
2019083993.tif 000002
【特許請求の範囲】
【請求項１】
本体と、
前記本体に形成された開口に対して開閉可能であり、紙葉類投入口を有するとともに、裏面側にフックが形成されている扉と、
前記扉の奥側において前記本体の内部に配置され、前記紙葉類投入口を介して投入された紙葉類を収容する紙葉類収納庫と、
前記扉を前記本体に対してロックするロック装置と、
を備える紙葉類収容装置において、
前記ロック装置は、
前記紙葉類収容室の長さ方向に延び、前記紙葉類収容室の長さより短くない長さを有するロック板と、
前記ロック板を支持する面を少なくとも有し、前記フックが前記面の外側から内側へ、または、前記面の内側から外側へ通過可能であるように構成されているロック板支持部材と、
前記扉から見て前記紙葉類収容室の反対側に配置されている第一リンクと、
前記扉から見て前記紙葉類収容室の反対側に配置されている第二リンクと、
前記扉から見て前記紙葉類収容室の反対側に配置され、前記第一リンク及び前記第二リンクを作動させるリンク作動手段と、
を備え、
前記ロック板には、その一端において、前記フックが通過可能なスリットが形成されており、
前記ロック板の前記一端の側はその長さ方向に位置する回動中心の回りに下方に回動可能であり、
前記リンク作動手段が作動すると、前記第一リンクを介して、前記ロック板は前記一端側が前記回動中心の回りに上方に回動し、
前記第二リンクは、前記ロック板の前記一端側が前記回動中心の回りに下方に回動したときに、その状態を維持するものである紙葉類収容装置。
【請求項２】
本体と、
前記本体に形成された開口に対して開閉可能であり、紙葉類投入口を有するとともに、裏面側にフックが形成されている扉と、
前記扉の奥側において前記本体の内部に配置され、前記紙葉類投入口を介して投入された紙葉類を収容する紙葉類収容室と、
前記扉を前記本体に対してロックするロック装置と、
を備える紙葉類収容装置において、
前記ロック装置は、
前記紙葉類収容室の長さ方向に延び、前記紙葉類収容室の長さより短くない長さを有するロック板と、
前記ロック板を支持する面を少なくとも有し、前記フックが前記面の外側から内側へ、または、前記面の内側から外側へ通過可能であるように構成されているロック板支持部材と、
前記扉から見て前記紙葉類収容室の反対側に配置されている第一リンクと、
前記扉から見て前記紙葉類収容室の反対側に配置されている第二リンクと、
前記ロック板の長さ方向と直交する方向に可動のレバーと、
を備え、
前記ロック板には、その一端において、前記フックが通過可能なスリットが形成されており、
前記ロック板の前記一端の側はその長さ方向に位置する回動中心の回りに下方に回動可能であり、
前記レバーは、その一端を介して、前記第一リンクと作動的に連結しており、
前記レバーが前記ロック板から離れる方向に移動すると、前記一端を介して前記第一リンクが作動し、前記ロック板の前記一端側が前記回動中心の回りに上方に回動するし、
前記第二リンクは、前記ロック板の前記一端側が前記回動中心の回りに下方に回動したときに、その状態を維持するものである紙葉類収容装置。
【請求項３】
前記ロック板の前記一端側は前記ロック板の自重により前記回動中心の回りに下方に回動可能であることを特徴とする請求項１または２に記載の紙葉類収容装置。
【請求項４】
前記第二リンクは、前記ロック板の前記一端側が下方に回動したときに、前記ロック板の他端が下降しないように前記他端の下方に位置し、前記ロック板の前記他端を支えるものであることを特徴とする請求項１乃至３の何れか一項に記載の紙葉類収容装置。
【請求項５】
前記第一リンク及び前記第二リンクは相互に回動自在であるように相互に連結されていることを特徴とする請求項１乃至４の何れか一項に記載の紙葉類収容装置。
【請求項６】
前記リンク作動手段が作動を停止したときに、前記リンク作動手段が作動していない状態における前記第一リンク及び前記第二リンクの位置に前記第一リンク及び前記第二リンクを復帰させる第一付勢部材を備えることを特徴とする請求項１及び３乃至５の何れか一項に記載の紙葉類収容装置。
【請求項７】
前記ロック板の下方において前記ロック板の長さ方向にスライド可能であるプッシャーと、
前記プッシャーを前記ロック板支持部材の前記一端の方向に付勢する第二付勢部材と、
をさらに備え、
前記ロック板の表面には当該ロック板の長さ方向に延びる開口部であって、前記ロック板の前記一端側が下方に回動したときに、前記プッシャーと干渉しない大きさを有する開口部が形成されており、
前記プッシャーには上方に延びる凸部が形成されており、
前記ロック板の前記一端側が下方に回動しているときには、前記凸部が前記開口部の周縁に係合し、前記プッシャーのスライドを阻止し、
前記ロック板の前記一端側が上方に回動すると、前記プッシャーは前記第二付勢部材の作用により前記ロック板の前記一端側にスライドし、前記凸部が前記ロック板の下方に移動し、前記ロック板を支えるものであることを特徴とする請求項１乃至６の何れか一項に記載の紙葉類収容装置。
【請求項８】
前記プッシャーは、前記ロック板支持部材の長さ方向における両端のうち、前記ロック板の前記一端側の端部に到達したときに、前記ロック板支持部材の内側に位置している前記フックを前記ロック板支持部材の外側に押し出すことが可能な長さを有していることを特徴とする請求項７に記載の紙葉類収容装置。
【請求項９】
前記凸部が前記ロック板の下方に位置しているときに前記扉が閉められると、前記フックは前記プッシャーを前記ロック板の前記他端側に押し込み、前記プッシャーは前記ロック板の他端側にスライドし、前記凸部が前記開口部の周縁に係合するものであることを特徴とする請求項７または８に記載の紙葉類収容装置。
【請求項１０】
前記ロック板の長さ方向と直交する方向に可動のレバーをさらに備え、
前記レバーは、その一端を介して、前記第一リンクと作動的に連結しており、
前記レバーが前記ロック板から離れる方向に移動すると、前記一端を介して前記第一リンクが作動し、前記ロック板の前記一端側が前記回動中心の回りに上方に回動することを特徴とする請求項１及び３乃至９の何れか一項に記載の紙葉類収容装置。
【請求項１１】
前記レバーを前記ロック板の方向に付勢する第三付勢部材をさらに備えることを特徴とする請求項２または１０に記載の紙葉類収容装置。
【請求項１２】
貨幣投入口と、
メダル払い出し口と、
を備え、
前記貨幣投入口から投入された貨幣の額に応じた個数のメダルを前記メダル払い出し口に払い出すメダル供給装置であって、
請求項２、１０または１１に記載の紙葉類収容装置を備え、
前記メダル供給装置の一部品が、前記レバーの下方の位置と、前記レバーから離れた位置との間をスライド可能に配置されており、または、前記レバーの下方の位置に取り外し可能に固定されており、
前記一部品が前記レバーの下方の位置にあるときの前記一部品と前記レバーの下端との間の距離は、前記レバーが前記ロック板から離れる方向に移動しても、前記第一リンクを作動させることができない距離に設定されていることを特徴とするメダル供給装置。
【発明の詳細な説明】
【技術分野】
【０００１】
本発明は、紙幣その他のシート状の紙葉類を収容する紙葉類収容装置に関し、特に、悪意のある第三者による不正解錠を防止することができる機能を有する紙葉類収容装置に関する。
【背景技術】
【０００２】
スロットなどのメダルを用いる遊技場には、メダルを貸し出すメダル貸機が置かれている。遊技客は、メダル貸機に紙幣を投入すると、紙幣の額に応じた個数のメダルを受け取ることができる。メダル貸機に投入された紙幣はメダル貸機の内部の紙幣収納庫に一時的に保管される。
このようなメダル貸機の一例を図３１乃至図３４に示す。
図３１は従来のメダル貸機の正面図、図３２は図３１に示した従来のメダル貸機の側面図である。
図３２に示すように、メダル貸機１０はハウジング１０Ａを備えており、ハウジング１０Ａの内部には、貨幣鑑別装置１０Ｂ、紙幣収納庫１０Ｃ、メダルを貯留するメダルタンク１０Ｄ及びメダル払い出し装置１０Ｅが配置されている。
図３１に示すように、メダル貸機１０の正面には扉１０Ｊがハウジング１０Ａに対して開閉自在に設けられている。扉１０Ｊには、紙幣投入口１０Ｇと、各種操作を行うための操作部１０Ｆと、が形成されている。紙幣投入口１０Ｇから投入された紙幣は、貨幣鑑別装置１０Ｂにより真贋を判定された後、真札のみが紙幣収納庫１０Ｃに保管される。
【０００３】
また、扉１０Ｊの下方には、メダル払い出し装置１０Ｅが払い出したメダルが排出されるノズル１０Ｈが配置されている。
図３２に示すように、貨幣鑑別装置１０Ｂ、紙幣収納庫１０Ｃ及びメダルタンク１０Ｄは扉１０Ｊの裏側に隠れており、扉１０Ｊを開けると、これらにアクセスすることができる。
扉１０Ｊにはロック装置が設けられており、このロック装置を解錠しない限りは、扉１０Ｊを開けることができない。
図３３はロック装置の側面図、図３４はロック装置を上方から見たときの平面図である。
図３３及び図３４に示すように、メダル貸機１０のロック装置は、レバー１３と、ソレノイド１４と、接続部材１５と、から構成されている。
【０００４】
図３３に示すように、レバー１３は支軸１６に回転可能に支持されており、支軸１６を中心として時計方向及び反時計方向の両方向に回転する。
レバー１３には開口部１３ａが形成されており、扉１０Ｊの裏面に設けられたＬ字型のフック１２の先端部分１２ａが開口部１３ａに下方から進入する。フック１２の先端部分１２ａが開口部１３ａ内に位置することにより、扉１０Ｊはロックされた状態になる。
ソレノイド１４はソレノイド本体１４ａと鉄心１４ｂとからなり、鉄心１４ｂは、板状の接続部材１５が鉛直面内（図３３の紙面の面内）において回動可能であるように、接続部材１５に連結されている。
図３４に示すように、レバー１３には支軸１６の上方において連結軸１３ｂが固定的に結合されており、接続部材１５は、一端において、ソレノイド１４の鉄心１４ｂと回動自在に連結されているとともに、他端において、連結軸１３ｂに回動自在に連結されている。接続部材１５には水平方向（図３３の左右方向）に長い長孔が形成されており、接続部材１５はこの長孔を介して連結軸１３ｂに連結されている。
【０００５】
上記の構造を有するロック装置は、以下のように作動する。
図３３に示すように、フック１２の先端部分１２ａが開口部１３ａ内に位置しているときには、扉１０Ｊはハウジング１０Ａに対してロックされた状態にある。
扉１０Ｊを開けるときには、ソレノイド１４を作動させる。ソレノイド１４を作動させると、鉄心１４ｂがソレノイド本体１４ａに引きつけられ、同時に、接続部材１５も鉄心１４ｂに引かれて、ソレノイド本体１４ａに向かって（図３３の右方向に）移動する。
接続部材１５がソレノイド本体１４ａに向かって移動すると、連結軸１３ｂを介して、レバー１３にもソレノイド本体１４ａへの方向（図３３の右方向）に向かう引張力が作用する。レバー１３は支軸１６により支持されているため、支軸１６の上方においてレバー１３に引張力（図３３の右向きの引張力）が作用すると、この引張力は支軸１６を中心としてレバー１３を回転させる力に変換される。この結果、レバー１３は支軸１６を中心として時計方向に回転し、レバー１３の開口部１３ａはフック１２の先端部分１２ａより上の位置まで回動する。すなわち、フック１２とレバー１３との間の係合が解除される。
【０００６】
これにより、扉１０Ｊのハウジング１０Ａに対するロックが解除され、扉１０Ｊを開けることができる。
しかしながら、このロック装置には不正操作による解錠が可能であるという問題点があった。
扉１０Ｊとその周囲のハウジング１０Ａとの間には小さな隙間が開いている。この隙間から針金を挿入し、針金の先端でレバー１３を時計方向に回転させると、フック１２とレバー１３との間の係合が解除され、ひいては、扉１０Ｊとハウジング１０Ａとの間のロックが解除され、ソレノイド１４を作動させなくても、扉１０Ｊを開けることが可能であった。
【０００７】
このような問題点に対する解決策が特開２０１２−２２５１０６号公報に提案されている。
図３５は同公報に記載されたロック装置の側面図、図３６は同ロック装置を上方から見たときの平面図、図３７は同ロック装置の作動を示す側面図である。
図３５及び図３６に示すように、このロック装置は、上記の問題点を解決するため、接続部材１５の構造を一部変更している。すなわち、接続部材１５には、支軸１６を越えて延びる（図３５の左方向に支軸１６を越えて延びる）突出部１５ａが形成されている。
針金の先端でレバー１３を時計方向に回転させようとしても、突出部１５ａによってレバー１３の回転が阻害される。
【０００８】
図３７に示すように、ソレノイド１４が作動し、鉄心１４ｂがソレノイド本体１４ａに引き寄せられると、接続部材１５ひいては突出部１５ａもソレノイド本体１４ａに向かって移動するので、突出部１５ａがレバー１３の回転を阻害することはなくなり、レバー１３の開口部１３ａはフック１２の先端部分１２ａより上方の位置まで回動する。
以上のように、このロック装置によれば、ソレノイド１４が作動した場合のみ、扉１０Ｊのロックを解除することが可能であり、ソレノイド１４が作動していない場合（図３５の状態）においては、針金の先端でレバー１３を時計方向に回転させようとしても、突出部１５ａがレバー１３の回転を阻害するため、扉１０Ｊのロックを解除することはできない。すなわち、ロック装置を不正に解錠することを防止することが可能である。
【先行技術文献】
【特許文献】
【０００９】
【特許文献１】特開２０１２−２２５１０６号公報
【発明の概要】
【発明が解決しようとする課題】
【００１０】
しかしながら、以下に述べるように、上記公報に記載のロック装置においても、悪意のある第三者によるロック装置の不正解錠はなおも可能である。
上記公報に記載のロック装置においては、扉１０Ｊとハウジング１０Ａとの間の小さな隙間から針金を挿入し、針金の先端でレバー１３を時計方向に回転させることは不可能である。
しかしながら、接続部材１５の突出部１５ａは扉１０Ｊの裏面から比較的近い距離にあるため、扉１０Ｊとハウジング１０Ａとの間の小さな隙間から挿入された針金を突出部１５ａに到達させることが可能である。このため、針金で突出部１５ａ（ひいては、接続部材１５）を押せば、あるいは、鉄心１４ｂの先端部分を押せば、その針金の先端でレバー１３を回転させることが可能である。
さらに、フック１２の先端部分１２ａがレバー１３の開口部１３ａよりも上方に突出している長さは小さいため、扉１０Ｊひいてはフック１２を（図３１の左方向に）強く引っ張れば、フック１２の先端部分１２ａが開口部１３ａから抜け出る可能性も少なくなかった。
このように、不正解錠対策として接続部材１５に突出部１５ａを設けたロック装置であっても、なおもロック装置を不正に解錠することが可能である。
【００１１】
さらに、図３５及び図３６に示したロック装置にはもう一つの問題点がある。
図３５及び図３６に示したロック装置においては、図３５に示すように、接続部材１５に設けられた突出部１５ａは支軸１６を越えて左側に延びているため、レバー１３の回転を阻止している。すなわち、ソレノイド１４が作動していない状態（図３５に示す状態）においては、突出部１５ａは常にレバー１３の回転を阻止している状態にあり、レバー１３の開口部１３ａは図３５に示される位置に止まっている。フック１２の先端部分１２ａは図３５の水平方向にのみ移動可能であるので、この状態においては、フック１２の先端部分１２ａは開口部１３ａに入り込むことができない。
すなわち、図３５及び図３６に示したロック装置においては、図３７に示すように、ソレノイド１４が作動し、開口部１３ａが時計方向に回動しない限りは、フック１２の先端部分１２ａは水平方向に移動することができず、ひいては、開口部１３ａに入り込むことができない。このように、図３５及び図３６に示したロック装置においては、ソレノイド１４が作動していないと、扉を閉めることができない。
【００１２】
以上のように、図３５及び図３６に示したロック装置は、ソレノイド１４が作動していない場合には、扉（フック１２はこの扉の裏側に取り付けられている）を閉めることができないという問題点を内包している。
本発明はこのような従来のロック装置における問題点に鑑みてなされたものであり、悪意のある第三者による不正解錠を防止することが可能なロック装置を備えた紙葉類収容装置を提供することを目的とする。
【課題を解決するための手段】
【００１３】
上記の目的を達成するため、本発明は、第一の態様として、本体と、前記本体に形成された開口に対して開閉可能であり、紙葉類投入口を有するとともに、裏面側にフックが形成されている扉と、前記扉の奥側において前記本体の内部に配置され、前記紙葉類投入口を介して投入された紙葉類を収容する紙葉類収納庫と、前記扉を前記本体に対してロックするロック装置と、を備える紙葉類収容装置において、前記ロック装置は、前記紙葉類収容室の長さ方向に延び、前記紙葉類収容室の長さより短くない長さを有するロック板と、前記ロック板を支持する面を少なくとも有し、前記フックが前記面の外側から内側へ、または、前記面の内側から外側へ通過可能であるように構成されているロック板支持部材と、前記扉から見て前記紙葉類収容室の反対側に配置されている第一リンクと、前記扉から見て前記紙葉類収容室の反対側に配置されている第二リンクと、前記扉から見て前記紙葉類収容室の反対側に配置され、前記第一リンク及び前記第二リンクを作動させるリンク作動手段と、を備え、前記ロック板には、その一端において、前記フックが通過可能なスリットが形成されており、前記ロック板の前記一端の側はその長さ方向に位置する回動中心の回りに下方に回動可能であり、前記リンク作動手段が作動すると、前記第一リンクを介して、前記ロック板は前記一端側が前記回動中心の回りに上方に回動し、前記第二リンクは、前記ロック板の前記一端側が前記回動中心の回りに下方に回動したときに、その状態を維持するものである紙葉類収容装置を提供する。
【００１４】
さらに、本発明は、第二の態様として、本体と、前記本体に形成された開口に対して開閉可能であり、紙葉類投入口を有するとともに、裏面側にフックが形成されている扉と、前記扉の奥側において前記本体の内部に配置され、前記紙葉類投入口を介して投入された紙葉類を収容する紙葉類収容室と、前記扉を前記本体に対してロックするロック装置と、を備える紙葉類収容装置において、前記ロック装置は、前記紙葉類収容室の長さ方向に延び、前記紙葉類収容室の長さより短くない長さを有するロック板と、前記ロック板を支持する面を少なくとも有し、前記フックが前記面の外側から内側へ、または、前記面の内側から外側へ通過可能であるように構成されているロック板支持部材と、前記扉から見て前記紙葉類収容室の反対側に配置されている第一リンクと、前記扉から見て前記紙葉類収容室の反対側に配置されている第二リンクと、前記ロック板の長さ方向と直交する方向に可動のレバーと、を備え、前記ロック板には、その一端において、前記フックが通過可能なスリットが形成されており、前記ロック板の前記一端の側はその長さ方向に位置する回動中心の回りに下方に回動可能であり、前記レバーは、その一端を介して、前記第一リンクと作動的に連結しており、前記レバーが前記ロック板から離れる方向に移動すると、前記一端を介して前記第一リンクが作動し、前記ロック板の前記一端側が前記回動中心の回りに上方に回動するし、前記第二リンクは、前記ロック板の前記一端側が前記回動中心の回りに下方に回動したときに、その状態を維持するものである紙葉類収容装置を提供する。
【００１５】
本発明に係る紙葉類収容装置においては、前記ロック板の前記一端側は前記ロック板の自重により前記回動中心の回りに下方に回動可能であることが好ましい。
本発明に係る紙葉類収容装置においては、前記第二リンクは、前記ロック板の前記一端側が下方に回動したときに、前記ロック板の他端が下降しないように前記他端の下方に位置し、前記ロック板の前記他端を支えるものであることが好ましい。
本発明に係る紙葉類収容装置においては、前記第一リンク及び前記第二リンクは相互に回動自在であるように相互に連結されていることが好ましい。
本発明の第一の態様に係る紙葉類収容装置においては、前記リンク作動手段が作動を停止したときに、前記リンク作動手段が作動していない状態における前記第一リンク及び前記第二リンクの位置に前記第一リンク及び前記第二リンクを復帰させる第一付勢部材を備えることが好ましい。
【００１６】
本発明に係る紙葉類収容装置においては、前記ロック板の下方において前記ロック板の長さ方向にスライド可能であるプッシャーと、前記プッシャーを前記ロック部材の前記一端の方向に付勢する第二付勢部材と、をさらに備え、前記ロック板の表面には当該ロック板の長さ方向に延びる開口部であって、前記ロック板の前記一端側が下方に回動したときに、前記プッシャーと干渉しない大きさを有する開口部が形成されており、前記プッシャーには上方に延びる凸部が形成されており、前記ロック板の前記一端側が下方に回動しているときには、前記凸部が前記開口部の周縁に係合し、前記プッシャーのスライドを阻止し、前記ロック板の前記一端側が上方に回動すると、前記プッシャーは前記第二付勢部材の作用により前記ロック板の前記一端側にスライドし、前記凸部が前記ロック板の下方に移動し、前記ロック板を支えるものであることが好ましい。
【００１７】
前記プッシャーは、前記ロック板支持部材の長さ方向における両端のうち、前記ロック板の前記一端側の端部に到達したときに、前記ロック板支持部材の内側に位置している前記フックを前記ロック板支持部材の外側に押し出すことが可能な長さを有していることが好ましい。
前記凸部が前記ロック板の下方に位置しているときに前記扉が閉められると、前記フックは前記プッシャーを前記ロック板の前記他端側に押し込み、前記プッシャーは前記ロック板の他端側にスライドし、前記凸部が前記開口部の周縁に係合するものであることが好ましい。
本発明の第一の態様に係る紙葉類収容装置においては、前記ロック板の長さ方向と直交する方向に可動のレバーをさらに備え、前記レバーは、その一端を介して、前記第一リンクと作動的に連結しており、前記レバーが前記ロック板から離れる方向に移動すると、前記一端を介して前記第一リンクが作動し、前記ロック板の前記一端側が前記回動中心の回りに上方に回動することが好ましい。
【００１８】
前記レバーを前記ロック板の方向に付勢する第三付勢部材をさらに備えることが好ましい。
本発明は、さらに、第三の態様として、貨幣投入口と、メダル払い出し口と、を備え、前記貨幣投入口から投入された貨幣の額に応じた個数のメダルを前記メダル払い出し口に払い出すメダル供給装置であって、第二の態様に係る紙葉類収容装置を備え、前記メダル供給装置の一部品が、前記レバーの下方の位置と、前記レバーから離れた位置との間をスライド可能に配置されており、または、前記レバーの下方の位置に取り外し可能に固定されており、前記一部品が前記レバーの下方の位置にあるときの前記一部品と前記レバーの下端との間の距離は、前記レバーが前記ロック板から離れる方向に移動しても、前記第一リンクを作動させることができない距離に設定されていることを特徴とするメダル供給装置を提供する。
【発明の効果】
【００１９】
従来のロック装置において、接続部材１５に突出部１５ａを設けても、なおもロック装置の不正解錠が可能であったのは、接続部材１５及びその突出部１５ａが扉１０Ｊの裏面から比較的近い距離に配置されていたためである。
これに対して、本発明に係る紙葉類収容装置は、紙葉類収容室の長さより短くない長さを有するロック板を備えているため、第二リンクは扉から見て紙葉類収容室を越えた位置（紙葉類収容室の反対側の位置）に配置することが可能になっている。すなわち、第二リンクは、従来のロック装置における突出部１５ａと比較して、扉から極めて遠い位置にあるとともに、扉と第二リンクとの間には紙葉類収容室（または、紙葉類収容室の内部に配置されている紙葉類収納庫）が存在している。
このため、扉の周囲の隙間から針金を挿入したとしても、紙葉類収納庫に阻害され、針金を第二リンクまで到達させることは不可能である。さらには、第二リンクまで針金を到達させることが可能であったとしても、第二リンクは扉から遠い位置にあるため、針金の先端をコントロールして、第二リンクを操作することは極めて困難であるか、もしくは、ほぼ不可能である。
【００２０】
このように、本発明に係る紙葉類収容装置によれば、従来のロック装置とは異なり、扉の周囲の隙間から針金を挿入させることによる不正解錠は不可能であり、紙幣を収納しておくことに対する安全性を従来の紙葉類収容装置よりも格段に向上させることができる。
図３５及び図３６に示した従来のロック装置には、ソレノイド１４が作動していない場合には、扉を閉めることができないという問題点を有していた。
本発明に係る紙葉類収容装置は、プッシャーを備えることにより、この問題点を解決している。すなわち、ソレノイドが作動していない場合であっても、扉を閉じれば、扉によってプッシャーが内側に押し込まれ、結果的に、扉はロックされる。
すなわち、本発明に係る紙葉類収容装置は、プッシャーを備えることにより、不正解錠を防止することができるとともに、従来のロック装置とは異なり、ソレノイドが作動していない場合であっても、扉を開いた状態から閉じた状態に移行することが可能であり、さらには、停電時またはソレノイド故障時においても、扉を閉めることが可能である。
【図面の簡単な説明】
【００２１】
【図１】図１は本発明の第一の実施形態に係る紙葉類収容装置を内蔵するメダル貸機の斜視図である。
【図２】図２は、本発明の第一の実施形態に係る紙葉類収容装置において、扉をハウジングに対して閉じているときのハウジングの内部の一部省略斜視図である。
【図３】図３は、本発明の第一の実施形態に係る紙葉類収容装置において、扉をハウジングに対して閉じているときのハウジングの内部の斜視図である。
【図４】図４は図２と同じ状態を示すハウジングの縦断面図である。
【図５】図４は、本発明の第一の実施形態に係る紙葉類収容装置において、扉をハウジングに対して開いているときのハウジングの内部の一部省略斜視図である。
【図６】図６は、本発明の第一の実施形態に係る紙葉類収容装置において、扉をハウジングに対して開いているときのハウジングの内部の斜視図である。
【図７】図７は図５と同じ状態を示すハウジングの縦断面図である。
【図８】図８は本発明の第一の実施形態に係る紙葉類収容装置におけるロック装置の斜視図である。
【図９】図９は本発明の第一の実施形態に係る紙葉類収容装置におけるロック装置の斜視図である。
【図１０】図１０は図８に示したロック装置をハウジングの裏面側の方向から見た場合の背面図である。
【図１１】図１１は図９に示したロック装置をハウジングの裏面側の方向から見た場合の背面図である。
【図１２】図１２は本発明の第一の実施形態に係る紙葉類収容装置におけるロック板の斜視図である。
【図１３】図１３は本発明の第一の実施形態に係る紙葉類収容装置におけるロック板支持部材の斜視図である。
【図１４】図１４は図１３に示したロック板支持部材の背面図（図１３のＡ方向から見た図）である。
【図１５】図１５は図１３に示したロック板支持部材の側面図である。
【図１６】図１６は本発明の第一の実施形態に係る紙葉類収容装置におけるロック装置により扉がロックされているときのロック装置の縦断面図である。
【図１７】図１７は本発明の第一の実施形態に係る紙葉類収容装置におけるロック装置による扉のロックが解除されたときのロック装置の縦断面図である。
【図１８】図１８（Ａ）乃至図１８（Ｃ）は本発明の第一の実施形態に係る紙葉類収容装置におけるロック板の回動中心を示す側面図である。
【図１９】図１９は、ハウジングの内部に配置された状態の本発明の第二の実施形態に係る紙葉類収容装置を上方から見たときの平面図である。
【図２０】図２０は本発明の第二の実施形態に係る紙葉類収容装置におけるロック板の斜視図である。
【図２１】図２１は本発明の第二の実施形態に係る紙葉類収容装置におけるロック板の斜視図である。
【図２２】図２２は本発明の第二の実施形態に係る紙葉類収容装置におけるプッシャーの斜視図である。
【図２３】図２３（Ａ）、図２３（Ｂ）及び図２３（Ｃ）は、本発明の第二の実施形態に係る紙葉類収容装置におけるロック解除時におけるプッシャー、ロック板及びＬ字型フックの相互間の位置関係を示す断面図である。
【図２４】図２４は本発明の第三の実施形態に係る紙葉類収容装置の背面図（ハウジングの背面側から見た図）である。
【図２５】図２５は本発明の第三の実施形態に係る紙葉類収容装置の背面図（ハウジングの背面側から見た図）である。
【図２６】図２６は本発明の第三の実施形態に係る紙葉類収容装置の正面図（ハウジングの正面側から見た図）である。
【図２７】図２７は本発明の第三の実施形態に係る紙葉類収容装置の正面図（ハウジングの正面側から見た図）である。
【図２８】図２８は本発明の第三の実施形態に係る紙葉類収容装置の変形例の正面図（ハウジングの正面側から見た図）である。
【図２９】図２９は本発明の第四の実施形態に係る紙葉類収容装置の背面図（ハウジングの背面側から見た図）である。
【図３０】図３０（Ａ）及び図３０（Ｂ）は本発明の第五の実施形態に係るメダル供給装置の部分的な縦断面図である。
【図３１】図３１は従来のメダル貸機の正面図である。
【図３２】図３２は図３１に示したメダル貸機の側面図である。
【図３３】図３３は図３１に示したメダル貸機のロック装置の側面図である。
【図３４】図３４は図３３のロック装置を上方から見たときの平面図である。
【図３５】図３５は従来のロック装置の側面図である。
【図３６】図３６は図３５に示したロック装置を上方から見たときの平面図である。
【図３７】図３７は図３５に示したロック装置の作動を示す側面図である。
【発明を実施するための形態】
【００２２】
（第一の実施形態）
図１は本発明の第一の実施形態に係る紙葉類収容装置１００を内蔵するメダル貸機１０１の斜視図である。
メダル貸機１０１は上下方向に長い直方体形状のハウジング１０１Ａを備えており、ハウジング１０１Ａの内部には、貨幣鑑別装置１０１Ｂ、紙幣収納庫１０１Ｃ、メダルを貯留するメダルタンク１０１Ｄ及びメダル払い出し装置１０１Ｅが配置されている。
メダル貸機１０１の正面の上方部分には扉１０２がハウジング１０１Ａに対して開閉自在に設けられている。扉１０２には紙幣投入口１０３が設けられている。貨幣鑑別装置１０１Ｂ及び紙幣収納庫１０１Ｃは扉１０２の奥側に配置されており、紙幣投入口１０３を介して投入された紙幣は貨幣鑑別装置１０１Ｂにより真贋を判定され、真札のみが紙幣収納庫１０１Ｃに収容される。紙幣収納庫１０１Ｃに収容されている紙幣は、扉１０２を開けることによって、取り出すことができる。
【００２３】
扉１０２の下方には液晶モニタ１０１Ｆと各種操作用ボタン類１０１Ｇが配置されている。各種操作用ボタン類１０１Ｇによる操作結果が液晶モニタ１０１Ｆに表示される。
ハウジング１０１Ａの背面側にはメダル補給シュート１０１Ｈが設けられており、メダル補給シュート１０１Ｈを介してメダルタンク１０１Ｄにメダルが補給される。メダルタンク１０１Ｄに補給されているメダルは、紙幣投入口１０３から投入された紙幣の額に応じて、メダル払い出し装置１０１Ｅからメダル払い出しノズル１０１Ｊを介して払い出される。
本実施形態に係る紙葉類収容装置１００は、ハウジング１０１Ａの内部において、扉１０２の奥側に配置されている。
【００２４】
図２は、扉１０２をハウジング１０１Ａに対して閉じている場合において、ハウジング１０１Ａの内部の紙幣収納庫１０１Ｃを省略した斜視図、図３は、扉１０２をハウジング１０１Ａに対して閉じている場合におけるハウジング１０１Ａの内部の斜視図、図４は図２と同じ状態におけるハウジング１０１Ａの縦断面図である。図５は、扉１０２をハウジング１０１Ａに対して開いている場合において、ハウジング１０１Ａの内部の紙幣収納庫１０１Ｃを省略した斜視図、図６は、扉１０２をハウジング１０１Ａに対して開いている場合におけるハウジング１０１Ａの内部の斜視図、図７は図５と同じ状態におけるハウジング１０１Ａの縦断面図である。
本実施形態に係る紙葉類収容装置１００は、本体としてのハウジング１０１Ａと、ハウジング１０１Ａに形成された開口１０１Ｋ（図５及び図７を参照）に対して開閉可能である扉１０２と、扉１０２の奥側においてハウジング１０１Ａの内部に配置され、紙葉類収容室内に配置され、扉１０２に形成された紙幣投入口１０３を介して投入された紙葉類を収容する紙幣収納庫１０１Ｃと、扉１０２をハウジング１０１Ａに対してロックするロック装置２００と、から構成されている。
【００２５】
図７に示すように、扉１０２の裏面には、先端が上向きの一対のＬ字型フック１０２Ａが形成されている。
図２、図４、図５及び図７に示すように、扉１０２の奥側には開口１０１Ｋと連続する内部空間１０１Ｌが形成されており、図３及び図６に示すように、この内部空間１０１Ｌに貨幣鑑別装置１０１Ｂ及び紙幣収納庫１０１Ｃが配置される。
図８及び図９はロック装置２００の斜視図、図１０及び図１１はロック装置２００をハウジング１０１Ａの裏面側の方向から見た場合の背面図である。
ロック装置２００は、紙幣収納庫１０１Ｃ（または、内部空間１０１Ｌ）の長さ方向（図４の方向Ｘ１）に延び、紙幣収納庫１０１Ｃの長さとほぼ等しいか、あるいは、紙幣収納庫１０１Ｃの長さより大きい長さを有するロック板２１０と、ロック板２１０を内部に収容するロック板支持部材２２０と、扉１０２から見て紙幣収納庫１０１Ｃの反対側に配置されている第一リンク２３０と、扉１０２から見て紙幣収納庫１０１Ｃの反対側に配置されている第二リンク２４０と、扉１０２から見て紙幣収納庫１０１Ｃの反対側に配置され、第一リンク２３０及び第二リンク２４０を作動させるリンク作動手段としての電磁ソレノイド２５０と、第一バネ部材２６０と、から構成されている。
【００２６】
図１２はロック板２１０の斜視図である。
ロック板２１０は、紙幣収納庫１０１Ｃ（または、内部空間１０１Ｌ）の長さ方向（図４の方向Ｘ１）に延びる上面２１０ａと、上面２１０ａの両側縁の各々から下方に垂直に延びる一対の側壁２１０ｂと、から構成されている。
上面２１０ａには、ロック板２１０の一端（図１２の右端）の近傍において、一対のスリット２１１が形成されている。各スリット２１１は上面２１０ａと側壁２１０ｂとにわたって形成されている。各スリット２１１は扉１０２のＬ字型フック１０２Ａが上下方向に通過可能な大きさに設定されている。
ロック板２１０の上面２１０ａには開口部２１０ｄ及び２１０ｅが形成されている。また、ロック板２１０の他端には、上面２１０ａからＬ字型に屈曲し、下方に延びる鉛直部２１０ｆが形成されている。
【００２７】
ロック板２１０は支持軸２１２を介してロック板支持部材２２０に対して回動可能であるように、ロック板支持部材２２０の内部に収納されている。支持軸２１２は、ロック板２１０の長さ方向（方向Ｘ１）におけるロック板２１０の中心よりもハウジング１０１Ａの裏面側に近い位置に、あるいは、ロック板２１０の長さ方向（方向Ｘ１）におけるロック板２１０の中心に対してスリット２１１とは反対側の位置に配置されている。具体的には、支持軸２１２は、支持軸２１２よりも一方の側にある部分（スリット２１１が形成されている側：図１２では支持軸２１２よりも右側の部分。以下「一端側」と呼ぶ。）が支持軸２１２よりも他方の側にある部分（図１２では支持軸２１２よりも左側の部分。以下「他端側」と呼ぶ。）より重くなるような位置に配置されている。このため、ロック板２１０は、その自重によって、支持軸２１２を中心として、一端側が下方に回動するように、回動する。図１２においては、ロック板２１０は支持軸２１２を中心として時計方向Ｒ１に回動する。
図１３はロック板支持部材２２０の斜視図、図１４はロック板支持部材２２０の背面図（図１３のＡ方向から見た図）、図１５はロック板支持部材２２０の側面図である。
図１３に示すように、ロック板支持部材２２０は、ロック板２１０の下方に位置し、ロック板２１０を支持する底面２２０Ｘと、底面２２０Ｘの長さ方向Ｘ１における一端（図１３においては右側の端部）から上方に延びる前壁２２０Ａと、底面２２０Ｘの幅方向（長さ方向Ｘ１と直交する方向）における両端の各々から上方に延びる一対の側壁２２０Ｂと、底面２２０Ｘの長さ方向Ｘ１における他端（図１３においては左側の端部）から下方に延びる取り付け板２２０Ｄと、を有している。
【００２８】
すなわち、ロック板支持部材２２０は上方が開口している直方体形状をなしており、図１２に示したロック板２１０を内部に収容可能な大きさを有している。
ロック板支持部材２２０の前壁２２０Ａには一対のスリット２２１が形成されている。一対のスリット２２１の各々は扉１０２のＬ字型フック１０２Ａが水平方向（正確には、扉１０２のヒンジ部分（回転中心）を中心とする円の円周方向。ただし、Ｌ字型フック１０２Ａの移動距離は短いので、Ｌ字型フック１０２Ａの円周方向における移動は水平方向における移動に近似することが可能。）に通過可能な大きさを有している。
ロック板支持部材２２０の一対の側壁２２０Ｂの各々には支持軸２１２を支持するための孔２２０Ｃが形成されている。
【００２９】
ロック板支持部材２２０の後端（前壁２２０Ａとは反対側の端部）からは鉛直下方に取り付け板２２０Ｄが延びている。取り付け板２２０Ｄは、ロック板支持部材２２０の長さ方向（方向Ｘ１）に延びる第一部分２２０Ｅと、第一部分２２０Ｅから垂直方向に延びる第二部分２２０Ｆとを有している。図１４に示すように、取り付け板２２０Ｄの一側縁（図１４の左側の側縁）からはロック板支持部材２２０の長さ方向（方向Ｘ１）に延びる第三部分２２０Ｇが延びている。
図１０及び図１１に示すように、電磁ソレノイド２５０は、コイルからなるソレノイド本体２５０ａと、鉄心２５０ｂとから構成されており、ソレノイド本体２５０ａが取り付け板２２０Ｄに固定されている。鉄心２５０ｂはソレノイド本体２５０ａに対して水平方向に移動し、ソレノイド本体２５０ａが通電されると（オンになると）、ソレノイド本体２５０ａの内部に引き寄せられる（図１１の状態）。
図１０及び図１１に示すように、ロック装置２００はプレート２２５を備えており、プレート２２５は、電磁ソレノイド２５０の鉄心２５０ｂよりも上方の位置において、枢軸２２６を介して取り付け板２２０Ｄの第二部分２２０Ｆに回動自在に取り付けられている。
【００３０】
プレート２２５は、その一部として、第二リンク２４０を有している。第二リンク２４０は枢軸２２６から図１０の上方に向かう方向（鉄心２５０ｂから離れる方向）に延びている。
さらに、プレート２２５は枢軸２２６の下方において鉄心２５０ｂの先端と回動自在に連結されている。
第一リンク２３０は長円形形状をなしており、その一端２３０Ａ（図１０の上端）において、ロック板２１０の鉛直部２１０ｆに回動自在に連結されるとともに、その他端２３０Ｂ（図１０の下端）において、プレート２２５と回動自在に連結されている。
図１０および図１１に示すように、第一バネ部材２６０は、その一端（図１０の左端）において、取り付け板２２０Ｄの第三部分２２０Ｇに留められ、その他端（図１０の右端）において、枢軸２２６よりも下方、かつ、鉄心２５０ｂよりも下方の位置において、プレート２２５に留められている。
【００３１】
図２乃至図７に示すように、ロック板支持部材２２０は紙幣収納庫１０１Ｃ（または、内部空間１０１Ｌ）の上方において、紙幣収納庫１０１Ｃの全長にわたって配置されている。扉１０２を開けると、図５及び図６に示すように、ロック板支持部材２２０の前壁２２０Ａのみが現れる。
ロック板２１０は、図８及び図９に示すように、ロック板支持部材２２０の内部に収容されている。
また、図２乃至図７に示すように、プレート２２５、第一リンク２３０、第二リンク２４０及び電磁ソレノイド２５０は何れもハウジング１０１Ａの背面側、すなわち、扉１０２から見て紙幣収納庫１０１Ｃの奥側に配置されている。
以上のような構造を有する本実施形態に係る紙葉類収容装置１００は以下のように作動する。
【００３２】
図１６はロック装置２００により扉１０２がロックされている状態におけるロック装置２００の縦断面図であり、図１７はロック装置２００による扉１０２のロックが解除された状態におけるロック装置２００の縦断面図である。
なお、図８はロック装置２００により扉１０２がロックされているときのロック装置２００の斜視図であり、図１６に対応している。図９はロック装置２００による扉１０２のロックが解除されたときのロック装置２００の斜視図であり、図１７に対応している。
図５乃至図７に示すように、扉１０２はその下縁を中心としてハウジング１０１Ａに対して回動可能、すなわち、ハウジング１０１Ａに対して開閉可能である。
図２、図３、図４及び図８に示すように、扉１０２がハウジング１０１Ａに対して閉じている状態においては、扉１０２のＬ字型フック１０２Ａはロック板支持部材２２０の前壁２２０Ａに形成されているスリット２２１を水平方向に前方から後方に向かって（ハウジング１０１Ａの正面側から背面側に向かって）通過している。
【００３３】
さらに、ロック板２１０は、その自重によって、支持軸２１２を中心として時計方向Ｒ１（図１２を参照）に回動しているため、すなわち、ロック板２１０の一端側が下方に回動しているため、ロック板２１０の一対のスリット２１１の各々は上方向からＬ字型フック１０２Ａに嵌まり込んでいる。このため、Ｌ字型フック１０２Ａは水平方向に移動不可能の状態になり、すなわち、スリット２２１を抜け出ることができなくなるため、扉１０２がハウジング１０１Ａに対してロックされた状態になる。
さらに、図１０に示すように、扉１０２がハウジング１０１Ａに対してロックされた状態、すなわち、ロック板２１０の一端側が下方に回動した状態においては、第二リンク２４０はロック板２１０の下方に位置しており、その上端において、ロック板２１０の他端側が下方に回動しないように（図１２の反時計方向Ｒ２に回動しないように）、ロック板２１０の他端を支えている。すなわち、ロック板２１０は、第二リンク２４０の作用により、一端側が下方に（図１２の時計方向Ｒ１に）回動した状態が維持され、ひいては、扉１０２がハウジング１０１Ａに対してロックされている状態が維持される。
【００３４】
扉１０２のハウジング１０１Ａに対するロックを解除する場合には、電磁ソレノイド２５０を作動させる。すなわち、ソレノイド本体２５０ａに通電することにより、図１１に示すように、鉄心２５０ｂはソレノイド本体２５０ａの磁力によりソレノイド本体２５０ａの内部に引き寄せられる。
鉄心２５０ｂがソレノイド本体２５０ａの内部に引き寄せられると、図１１に示すように、プレート２２５は枢軸２２６を中心として図１０の反時計方向に回転する。プレート２２５が枢軸２２６を中心として図１０の反時計方向に回転すると、第二リンク２４０もプレート２２５とともに回転し、プレート２２５の回転角度に応じた直線距離の分だけ下方に移動するため、第二リンク２４０の上端におけるロック板２１０の他端との係合が解除される。
【００３５】
さらに、プレート２２５の回転角度に応じて、プレート２２５と回動自在に連結されている第一リンク２３０が下降する。第一リンク２３０が下降すると、第一リンク２３０はロック板２１０と回動自在に連結されているため、図９及び図１７に示すように、ロック板２１０は支持軸２１２を中心として図１２の反時計方向Ｒ２に回動する。これにより、ロック板２１０のスリット２１１はＬ字型フック１０２Ａより上方に移動し、Ｌ字型フック１０２Ａとの係合が解除される。すなわち、扉１０２のハウジング１０１Ａに対するロックが解除され、扉１０２を開けることが可能になる。扉１０２を開ける際には、Ｌ字型フック１０２Ａは、ロック板支持部材２２０の前壁２２０Ａの内側から外側にスリット２２１を水平方向に通過する。その後、図５乃至図７に示すように、扉１０２が開かれる。
扉１０２を開けて、紙幣収納庫１０１Ｃに収納されている紙幣を取り出した後、再び扉１０２を閉めると、扉１０２の裏面に形成されているＬ字型フック１０２Ａはスリット２２１をロック板支持部材２２０の外側から内側に水平方向に通過する。
この後、電磁ソレノイド２５０の作動を停止させる。すなわち、ソレノイド本体２５０ａへの通電を停止する。
【００３６】
プレート２２５はロック板支持部材２２０の第三部分２２０Ｇと第一バネ部材２６０を介して連結している。電磁ソレノイド２５０が作動を停止すると、鉄心２５０ｂをソレノイド本体２５０ａに引き寄せる磁力が消滅するため、プレート２２５は、第一バネ部材２６０の付勢力によって、枢軸２２６を中心として図１０の時計方向に回転する（すなわち、図１１に示す状態から図１０に示す状態に移行する）。
このプレート２２５の時計方向の回転により、第一リンク２３０は鉛直上方に上昇するため、ロック板２１０は支持軸２１２を中心として図１２の時計方向Ｒ１に回動する。すなわち、ロック板２１０の一端側が下方に回動し、ロック板２１０のスリット２１１がＬ字型フック１０２Ａに上方から嵌まり込む。
このロック板２１０の時計方向Ｒ１への回動によって、扉１０２はハウジング１０１Ａに対して再びロックされた状態となる。
【００３７】
第二リンク２４０は、プレート２２５の時計方向への回転によって、その上端において、再びロック板２１０の他端を下方から支える。このため、ロック板２１０の他端側が下方に回動すること、すなわち、ロック板２１０が支持軸２１２を中心として図１２の反時計方向Ｒ２に回動することが阻止されるため、扉１０２のハウジング１０１Ａに対するロックが維持される。
以上の動作が紙葉類収容装置１００の１サイクルである。以下、このサイクルが繰り返される。
【００３８】
本実施形態に係る紙葉類収容装置１００は以下の効果を奏する。
従来のロック装置においては、接続部材１５に突出部１５ａを設けても、なおもロック装置の不正解錠が可能であった。これは、従来のロック装置、具体的には、接続部材１５及びその突出部１５ａが扉１０Ｊの裏面から比較的近い距離に配置されていたためである。
これに対して、本実施形態に係る紙葉類収容装置１００は、紙幣収納庫１０１Ｃの長さより短くない長さを有するロック板２１０を備えることにより、第二リンク２４０は扉１０２から見て紙幣収納庫１０１Ｃを越えた位置に配置することが可能になっている。すなわち、第二リンク２４０は、従来のロック装置における突出部１５ａと比較して、扉１０２から極めて遠い位置にあるとともに、扉１０２と第二リンク２４０との間には紙幣収納庫１０１Ｃが存在している。
【００３９】
従来のロック装置における突出部１５ａは扉１０Ｊの裏面から近い位置にあったため、針金を用いて不正解錠することが可能であったが、本実施形態に係る紙葉類収容装置１００においては、第二リンク２４０は扉１０２から見て紙幣収納庫１０１Ｃを越えた位置にあるため、扉１０２の周囲の隙間から針金を挿入したとしても、紙幣収納庫１０１Ｃに阻害され、針金を第二リンク２４０まで到達させることは不可能である。さらには、第二リンク２４０まで針金を到達させたとしても、第二リンク２４０は扉１０２から遠い位置にあるため、針金の先端をコントロールし、第二リンク２４０を不正に操作することは極めて困難もしくはほぼ不可能である。
このように、本実施形態に係る紙葉類収容装置１００によれば、従来のロック装置とは異なり、扉１０２の周囲の隙間から針金を挿入させることによる不正解錠は不可能であり、従来の紙葉類収容装置よりも安全に紙幣を収納させておくことが可能となる。
【００４０】
本実施形態に係る紙葉類収容装置１００の構造は上記の構造に限定されるものではなく、種々の改変が可能である。
本実施形態に係る紙葉類収容装置１００においては、図１８（Ａ）に示すように、支持軸２１２はロック板２１０の長さ方向（図１２の方向Ｘ１）における中心２１０Ｃよりもロック板２１０の他端（ハウジング１０１Ａの裏面側：図１８（Ａ）の左端）に近い位置において支持されている。これにより、支持軸２１２とロック板２１０の一端（図１８（Ａ）の右端）側との間の部分２１０Ａの重量は支持軸２１２とロック板２１０の他端側との間の部分２１０Ｂ￥の重量よりも大きくなるため、ロック板２１０の一端側は自重により支持軸２１２を中心として下方に回動する、すなわち、ロック板２１０は支持軸２１２を中心として時計方向Ｒ１（図１２を参照）に回動する。
ロック板２１０の長さ方向における支持軸２１２の位置は図１８（Ａ）に示す位置には限定されない。
【００４１】
例えば、図１８（Ｂ）に示すように、支持軸２１２をロック板２１０の長さ方向における中心２１０Ｃの位置に配置することも可能である。この場合には、ロック板２１０の部分２１０Ａの重量が部分２１０Ｂの重量よりも大きくなるように、ロック板２１０を設計する。例えば、部分２１０Ｂに開口を設けることにより、部分２１０Ｂを軽量化すれば、部分２１０Ａの重量を部分２１０Ｂの重量よりも大きくすることができる。
さらに、図１８（Ｃ）に示すように、支持軸２１２をロック板２１０の長さ方向における中心２１０Ｃとロック板２１０の一端側との間に配置することも可能である。
この場合にも、ロック板２１０の部分２１０Ａの重量が部分２１０Ｂの重量よりも大きくなるようにロック板２１０を設計する。しかしながら、二つの部分２１０Ａ及び２１０Ｂの重量配分だけでは、確実性に欠けるため、ロック板２１０の一端側を支持軸２１２の回りに下方に回動させる付勢力をロック板２１０に作用させる回動用付勢部材としてのコイルバネ２１３を用いることができる。
【００４２】
図１８（Ｃ）に示すように、ロック板２１０の開口部２１０ｄの側縁から下方に延びる延長部２１０ｇを設けておき、コイルバネ２１３を延長部２１０ｇ及び支持軸２１２の双方に係合させる。このコイルバネ２１３は支持軸２１２を中心として延長部２１０ｇを上方向Ｄ１に持ち上げる方向の付勢力をロック板２１０に作用させる。延長部２１０ｇが支持軸２１２を中心として上方向に持ち上がれば、ロック板２１０は全体として支持軸２１２を中心として時計方向Ｒ１に回動することになる。
以上のように、本実施形態に係る紙葉類収容装置１００においては、ロック板２１０の長さ方向における支持軸２１２の位置は任意とすることが可能であり、支持軸２１２の位置に応じて、コイルバネ２１３などの補助部材を使用することができる。
【００４３】
本実施形態におけるロック板支持部材２２０は前壁２２０Ａ（及びスリット２２１）を有するものとして構成されているが、前壁２２０Ａはロック板支持部材２２０にとって必須のものではなく、前壁２２０Ａが存在しなくても、ロック板支持部材２２０の動作及び機能は変わらない。
前壁２２０Ａを設けない場合には、ロック板支持部材２２０の前壁２２０Ａが設けられていた領域は開口部分となる。このため、ロック板２１０を支持する面としての底面２２０Ｘに対して、Ｌ字型フック１０２Ａが底面２２０Ｘの外側（底面２２０Ｘの外部の領域）から底面２２０Ｘの内側（底面２２０Ｘの上方の領域）へ、または、底面２２０Ｘの内側から底面２２０Ｘの外側へ通過可能になり、Ｌ字型フック１０２Ａの動きは前壁２２０Ａ及びスリット２２１が形成されていた場合と同じになる。
【００４４】
（第二の実施形態）
図１９は、ハウジング１０１Ａの内部に配置された状態の本発明の第二の実施形態に係る紙葉類収容装置３００を上方から見たときの平面図、図２０及び図２１は本実施形態に係る紙葉類収容装置３００におけるロック装置の斜視図である。
本実施形態に係る紙葉類収容装置３００は、第一の実施形態に係る紙葉類収容装置１００と比較して、プッシャー３１０及び第二バネ部材３３０を追加的に備えている。プッシャー３１０及び第二バネ部材３３０を追加的に備えている点を除いて、本実施形態に係る紙葉類収容装置３００は第一の実施形態に係る紙葉類収容装置１００と同一の構造を有している。
プッシャー３１０は、後述するように、ロック板支持部材２２０の底面２２０Ｘ（図１３参照）に対してスライド可能であるようにロック板支持部材２２０の内部に配置されるとともに、ロック板２１０の内部に潜るように配置される。
【００４５】
図２２はプッシャー３１０の斜視図である。
プッシャー３１０は板材からなり、上面３１０ａと、上面３１０ａから鉛直下方にそれぞれ延びる一対の側壁３１０ｂ及び３１０ｃと、を備えている。
上面３１０ａには開口部３１０ｄが形成されており、開口部３１０ｄ内には部分的に底板３１０ｅが設けられており、底板３１０ｅにはフック３１０ｆが設けられている。
さらに、図１３に示すように、ロック板支持部材２２０の底面２２０Ｘ上にはＪ字型のフック２２０Ｊが形成されており、引張バネである第二バネ部材３３０の両端はプッシャー３１０のフック３１０ｆとロック板支持部材２２０のフック２２０Ｊに係止されている。
【００４６】
開口部３１０ｄを間に挟む上面３１０ａの両側には長円形のスリット３１０ｇ及び３１０ｈが形成されている。スリット３１０ｇ及び３１０ｈは同一の長さ（プッシャー３１０の長さ方向Ｘ１における長さ）を有している。プッシャー３１０は、スリット３１０ｇ及び３１０ｈを上下方向に通過しているピン３１１を介して、ロック板支持部材２２０の底面２２０Ｘに取り付けられている。このため、プッシャー３１０はロック板支持部材２２０の底面２２０Ｘに対してその長さ方向Ｘ１に、スリット３１０ｇ及び３１０ｈの長さの範囲内において、スライド可能である。
上記のように、プッシャー３１０とロック板支持部材２２０の双方に対して第二バネ部材３３０は係止されている。このため、プッシャー３１０にはハウジング１０１Ａの背面側から正面側に向かう方向すなわちロック板支持部材２２０のスリット２１１に向かう方向の付勢力が常時作用している。
【００４７】
図２２に示すように、プッシャー３１０の前端側（図２２の右端側）においては、上面３１０ａを越えて一対の側壁３１０ｂ及び３１０ｃが延びており、この領域において、一対の側壁３１０ｂ及び３１０ｃの各々には上方向に延びる凸部３１０ｊ及び３１０ｋが形成されている。また、一対の側壁３１０ｂ及び３１０ｃの先端の各々には直角に屈曲したＬ字型の先端部分３１０ｍ、３１０ｎが形成されている。
図２０及び図２１に示すように、プッシャー３１０はロック板支持部材２２０の内部においてロック板２１０の下方に配置され、さらに、スリット３１０ｇ、３１０ｈ及びピン３１１を介して、ロック板支持部材２２０の底面２２０Ｘに対してプッシャー３１０の長さ方向（または、ロック板支持部材２２０の長さ方向）Ｘ１にスライド可能である。
【００４８】
図１２に示すように、ロック板２１０の上面２１０ａには長さ方向Ｘ１に延びる開口部２１０ｅが形成されている。開口部２１０ｅは、ロック板２１０が支持軸２１２を中心として時計方向Ｒ１に回動したとき、すなわち、ロック板２１０の一端側が下方に回動したとき（図２０に示す状態）に、プッシャー３１０と干渉しない大きさに設定されている。
さらに、図２０に示すように、ロック板２１０の一端側が下方に回動したとき（図２０に示す状態）に、凸部３１０ｊ及び３１０ｋはその前端側においてロック板２１０の開口部２１０ｅの周縁と係合する。前述のように、プッシャー３１０は、引張バネである第二バネ部材３３０の付勢力により、常にハウジング１０１Ａの正面側（ロック板支持部材２２０のスリット２１１がある側）に向かって付勢されている。凸部３１０ｊ及び３１０ｋが開口部２１０ｅの周縁と係合することによって、プッシャー３１０がハウジング１０１Ａの正面側に向かってスライドすることが阻害されている。
【００４９】
以上のような構造を有する本実施形態に係る紙葉類収容装置３００は以下のように作動する。基本的には、本実施形態に係る紙葉類収容装置３００における扉１０２のロック及びその解除の動作は第一の実施形態に係る紙葉類収容装置１００の動作と同一である。このため、以下、プッシャー３１０の動作を中心に説明する。
図２３（Ａ）、図２３（Ｂ）及び図２３（Ｃ）はロック解除時におけるプッシャー３１０、ロック板２１０及びＬ字型フック１０２Ａの相互間の位置関係を示す断面図である。
図２３（Ａ）に示すように、ロック板２１０の一端側が下方に回動し、扉１０２のＬ字型フック１０２Ａがロック板２１０のスリット２１１に嵌まり込んでいる状態（図２０に示す状態）においては、プッシャー３１０の凸部３１０ｊ及び３１０ｋはその前端側においてロック板２１０の開口部２１０ｅの周縁と係合している。このため、プッシャー３１０が第二バネ部材３３０の付勢力によりハウジング１０１Ａの正面側に向かって（または、ロック板支持部材２２０のスリット２１１に向かって）スライドすることはなく、プッシャー３１０は図２０に示す位置に停止した状態にある。
【００５０】
電磁ソレノイド２５０が作動し、ロック板２１０が支持軸２１２を中心として反時計方向Ｒ２に回動すると、すなわち、ロック板２１０の一端側が上方に回動すると、扉１０２のＬ字型フック１０２Ａとロック板２１０のスリット２１１との係合が解除されるとともに、プッシャー３１０の凸部３１０ｊ及び３１０ｋとロック板２１０の開口部２１０ｅの周縁との係合が解除される。
これにより、図２３（Ｂ）に示すように、プッシャー３１０は、引張バネである第二バネ部材３３０の付勢力によって、ハウジング１０１Ａの正面側に向かって（または、ロック板支持部材２２０のスリット２１１に向かって）スライドする。プッシャー３１０がロック板支持部材２２０のスリット２２１に向かってスライドすると、プッシャー３１０の凸部３１０ｊ及び３１０ｋはロック板２１０の下方に潜り込むとともに、先端部分３１０ｍ、３１０ｎで扉１０２のＬ字型フック１０２をハウジング１０１Ａの正面側に向かって（あるいは、ロック板支持部材２２０の内側から外側に向かって）押し出す。
【００５１】
プッシャー３１０は、その先端部分３１０ｍ、３１０ｎがロック板支持部材２２０のスリット２２１に到達したときに、スリット２２１の内側に位置しているＬ字型フック１０２Ａをスリット２２１の外側すなわちロック板支持部材２２０の外側に押し出すことが可能な長さを有している。
このため、図２３（Ｃ）に示すように、扉１０２のＬ字型フック１０２Ａはプッシャー３１０の先端部分３１０ｍ、３１０ｎによってロック板支持部材２２０の内側から外側に押し出され、扉１０２は自動的に開く（図５乃至図７の状態）。
さらに、図２３（Ｃ）に示すように、ロック板２１０の下方に潜り込んだプッシャー３１０の凸部３１０ｊ及び３１０ｋはロック板２１０を下方から支える状態となる。この状態においては、ロック板２１０の下方にはプッシャー３１０の凸部３１０ｊ及び３１０ｋが位置し、ロック板２１０の一端側の下方への回動を阻止するため、電磁ソレノイド２５０の作動を停止し、第一バネ部材２６０の付勢力により、プレート２２５が枢軸２２６を中心として時計方向に回動しようとしても、ロック板２１０の一端側が下方に回動することはない。
【００５２】
次いで、紙幣収納庫１０１Ｃに収納されている紙幣を取り出した後、扉１０２を閉めると、Ｌ字型フック１０２Ａはロック板支持部材２２０のスリット２２１をロック板支持部材２２０の外側から内側に水平方向に通過した後、ロック板２１０の下方に進み、ロック板２１０の下方に位置しているプッシャー３１０の先端部分３１０ｍ、３１０ｎを、第二バネ部材３３０の付勢力に抗して、ハウジング１０１Ａの背面側に向かって（すなわち、ロック板支持部材２２０のスリット２２１から離れる方向に）押し込む。プッシャー３１０がＬ字型フック１０２Ａによってハウジング１０１Ａの背面側の方向に押されると、プッシャー３１０の凸部３１０ｊ及び３１０ｋがハウジング１０１Ａの背面側に向かって進み、やがてロック板２１０の開口部２１０ｅの周縁と上下方向に整列する位置に到達する。プッシャー３１０の凸部３１０ｊ及び３１０ｋがロック板２１０の開口部２１０ｅの周縁を通り過ぎると、ロック板２１０はその自重により、または、コイルバネ２１３（図１８（Ｃ）を参照）の作用により、支持軸２１２を中心として時計方向Ｒ１に回動し（すなわち、ロック板２１０の一端側が下方に回動し）、プッシャー３１０の凸部３１０ｊ及び３１０ｋとロック板２１０の開口部２１０ｅの周縁とが再び係合する。これにより、プッシャー３１０のスライドが阻害される状態（図２０及び図２３（Ａ）に示す状態）になる。
【００５３】
以上の動作が本実施形態に係る紙葉類収容装置３００の１サイクルであり、以下、このサイクルが繰り返される。
本実施形態に係る紙葉類収容装置３００は以下の効果を奏する。
図２０に示すように、扉１０２がロックされている状態においては、プッシャー３１０の凸部３１０ｊ及び３１０ｋはロック板２１０の開口部２１０ｅの周縁に係合している。プッシャー３１０には、第二バネ部材３３０によって、ハウジング１０１Ａの正面側すなわちロック板２１０の前端側に向かう付勢力が作用している。このため、ロック板２１０はプッシャー３１０によりロック板２１０の前端側に向かって押し付けられている状態となり、第二リンク２４０の作用と相まって、ロック板２１０が下方に回動している状態（図２０に示す状態）が安定的に維持される。
【００５４】
また、図２１に示すように、扉１０２のロックが解除されている状態においては、プッシャー３１０の凸部３１０ｊ及び３１０ｋはロック板２１０の下方に潜り込み、ロック板２１０を下方から支持する。この状態においては、ロック板２１０の下方にはプッシャー３１０の凸部３１０ｊ及び３１０ｋが位置し、ロック板２１０の一端側が下方に回動することを阻止するため、電磁ソレノイド２５０の作動を停止しても、ロック板２１０の一端側が下方に回動することはない。すなわち、ロック板２１０が上方に回動している状態（図２１に示す状態）を安定的に維持することができる。
さらに、図２３（Ｃ）に示したように、プッシャー３１０が第二バネ部材３３０の付勢力を受けてロック板支持部材２２０のスリット２１１に向かってスライドし、スリット２１１に到達すると、扉１０２のＬ字型フック１０２Ａはプッシャー３１０によってロック板支持部材２２０の内側から外側に押し出される。この結果として、扉１０２は自動的に開くため（図５乃至図７の状態）、扉１０２を手動で開ける動作は不要である。
【００５５】
図３５及び図３６に示した従来のロック装置には、ソレノイド１４が作動していない場合には、扉を閉めることができないという問題点を有していた。
これに対して、本実施形態に係る紙葉類収容装置３００においては、電磁ソレノイド２５０が作動していない場合であっても（図２０の状態）、扉１０２を閉じれば、扉１０２の裏側のＬ字型フック１０２Ａがプッシャー３１０の先端部分３１０ｍ、３１０ｎを、第二バネ部材３３０の付勢力に抗して、ハウジング１０１Ａの背面側に向かって押し込むことにより、プッシャー３１０の凸部３１０ｊ及び３１０ｋとロック板２１０の開口部２１０ｅの周縁とが係合し、ロック板２１０の一端側が下方に回動するため、結果的に、扉１０２はロックされる。
すなわち、本実施形態に係る紙葉類収容装置３００においては、図３５及び図３６に示した従来のロック装置とは異なり、電磁ソレノイド２５０が作動していない場合であっても、扉１０２を閉じることが可能である。
【００５６】
（第三の実施形態）
図２４及び図２５は本発明の第三の実施形態に係る紙葉類収容装置４００の背面図（ハウジング１０１Ａの背面側から見た図）、図２６及び図２７は紙葉類収容装置４００の正面図（ハウジング１０１Ａの正面側から見た図）である。
本実施形態に係る紙葉類収容装置４００は、第二の実施形態に係る紙葉類収容装置３００と比較して、レバー４１０を追加的に備えている。レバー４１０を追加的に備えている点を除いて、本実施形態に係る紙葉類収容装置４００は第二の実施形態に係る紙葉類収容装置３００と同一の構造を有している。
図２６に示すように、レバー４１０は、ロック板２１０の長さ方向Ｘ１と直交する方向（図２６の上下方向）に延びる板状の本体部分４１０Ａと、本体部分４１０Ａの一端（図２６では上端）から水平方向に延びる水平部分４１０Ｃと、水平部分４１０Ｃから本体部分４１０Ａがなす面と直交する方向（図２６の紙面の奥側に向かう方向）に延びる先端部分４１０Ｄと、を備えている。
【００５７】
本体部分４１０Ａには、本体部分４１０Ａの長さ方向（図２６の上下方向）に延びる長円形のスリット４１０Ｅが形成されている。レバー４１０は、スリット４１０Ｅに挿入されたピン４１１を介して、ロック板支持部材２２０の取り付け板２２０Ｄに対してスライド可能であるように、取り付け板２２０Ｄに取り付けられている。このように、レバー４１０はロック板２１０の長さ方向Ｘ１と直交する方向Ｘ２、すなわち、図２６の上下方向にスライド可能である。
また、図２４乃至図２６に示すように、レバー４１０の本体部分４１０Ａは取り付け板２２０Ｄの下端を越えて下方に延びる長さを有している。
取り付け板２２０Ｄにはその上方部分においてスリット２２０ＤＢが形成されている。レバー４１０の先端部分４１０Ｄは、図２４及び図２５に示すように、スリット２２０ＤＢを通り越して取り付け板２２０Ｄの背面側（第一リンク２３０が配置されている側）まで延びており、枢軸２２６と第一リンク２３０の他端２３０Ｂ（図１０に示した第一リンク２３０の下端）との間において、プレート２２５の周縁に上方から接触している。
【００５８】
以上のような構造を有する本実施形態に係る紙葉類収容装置４００は以下のように作動する。基本的には、本実施形態に係る紙葉類収容装置４００における扉１０２のロック及びその解除の動作は第二の実施形態に係る紙葉類収容装置３００の動作と同一である。このため、以下、レバー４１０の動作を中心に説明する。
レバー４１０を手動で下方にスライドさせると、図２７に示すように、レバー４１０の先端部分４１０Ｄがプレート２２５を下方に押し下げる。レバー４１０の先端部分４１０Ｄは枢軸２２６と第一リンク２３０の他端２３０Ｂとの間においてプレート２２５に接触しているため、レバー４１０の先端部分４１０Ｄがプレート２２５を下方に押し下げると、この下方への押し下げ力はプレート２２５の回転力に変換される。このため、プレート２２５は枢軸２２６を中心として反時計方向に回動する。
プレート２２５の反時計方向の回動により、第一の実施形態の場合と同様に、第一リンク２３０は下方に移行し（図２５に示す状態）、その結果として、ロック板２１０の一端側は上方に回動し、扉１０２のロックが解除される。
【００５９】
この後、レバー４１０を上方にスライドさせると（図２６の状態）、レバー４１０の先端部分４１０Ｄによるプレート２２５の下方への押し下げがなくなり、第一バネ部材２６０の付勢力により、プレート２２５は枢軸２２６を中心として時計方向に回動する。その結果として、第一リンク２３０が上方に移行し、ロック板２１０の一端側が下方に回動する。これによって、扉１０２は再びロックされた状態となる。
本実施形態に係る紙葉類収容装置４００は以下の効果を奏する。
以上のように、本実施形態に係る紙葉類収容装置４００によれば、レバー４１０を用いることにより、ロック板２１０の一端側の下方への回動または上方への回動を実行することが可能になる。このため、電磁ソレノイド２５０が不意に故障した場合、停電により電磁ソレノイド２５０が作動不可能になった場合などには、レバー４１０を用いて、手動で扉１０２のロックまたはその解除を実行することができる。
なお、レバー４１０の取り付け位置は本実施形態における位置に限定されるものではなく、第一リンク２３０、第二リンク２４０などの他の構成要素の動作に干渉しない範囲において、任意の取り付け位置を選択することが可能であり、取り付け位置に応じて、レバー４１０の形状を変更することも可能である。
【００６０】
なお、本実施形態に係る紙葉類収容装置４００においては、レバー４１０を第二の実施形態に係る紙葉類収容装置３００に適用したが、第一の実施形態に係る紙葉類収容装置１００に適用することも可能である。
図２８は、第三の実施形態に係る紙葉類収容装置４００の変形例を示す正面図、すなわち、ハウジング１０１Ａの正面側から見た図であり、図２６及び図２７に対応している。
本変形例に係る紙葉類収容装置は、第三の実施形態に係る紙葉類収容装置４００と比較して、第三バネ部材４２０を追加的に備えている。この点を除いて、本変形例に係る紙葉類収容装置は第三の実施形態に係る紙葉類収容装置４００と同一の構造を有している。
【００６１】
レバー４１０は本体部分４１０Ａから水平方向に突出する突出部分４１０Ｂを有しており、突出部分４１０Ｂには貫通孔４１０Ｆが形成されている。さらに、取り付け板２２０Ｄには貫通孔２２０ＤＡが形成されている。引張バネである第三バネ部材４２０はその両端において二つの貫通孔４１０Ｆ、２２０ＤＡに係止されている。このため、レバー４１０は第三バネ部材４２０の付勢力を受け、常に上方向（ロック板２１０またはロック板支持部材２２０に向かう方向）に付勢されている。
本変形例に係る紙葉類収容装置においては、レバー４１０は以下のように使用される。
レバー４１０は、第三バネ部材４２０の付勢力を受けて、常に上方向に付勢されている。このため、ロック板２１０の一端側が下方に回動している状態（図２４に示す状態）においては、レバー４１０は最上の位置にあり、レバー４１０の先端部分４１０Ｄはプレート２２５の周縁に上方から単に接触しているにとどまっている。
【００６２】
レバー４１０を、第三バネ部材４２０の付勢力に抗して、手動で下方にスライドさせると、レバー４１０の先端部分４１０Ｄがプレート２２５を下方に押し下げる。これにより、第三の実施形態の場合と同様に、プレート２２５は枢軸２２６を中心として反時計方向に回動し、扉１０２のロックが解除される。
レバー４１０が下方にスライドしている状態を解除すると（具体的には、下方に引っ張っていたレバー４１０から手を離すと）、レバー４１０は第三バネ部材４２０の付勢力により上方にスライドし、レバー４１０の先端部分４１０Ｄによるプレート２２５の下方への押し下げも解除される。
レバー４１０の先端部分４１０Ｄによるプレート２２５の下方への押し下げがなくなれば、第一バネ部材２６０の付勢力により、プレート２２５は枢軸２２６を中心として時計方向に回動する。その結果として、第一リンク２３０が上方に移行し、ロック板２１０の一端側が下方に回動する。これによって、扉１０２は再びロックされた状態となる。
以上のように、本変形例に係る紙葉類収容装置によれば、下方に引っ張ったレバー４１０は第三バネ部材４２０の作用により自動的に当初の位置に復帰する。
【００６３】
（第四の実施形態）
図２９は本発明の第四の実施形態に係る紙葉類収容装置５００の背面図（ハウジング１０１Ａの背面側から見た図）である。
本実施形態に係る紙葉類収容装置５００は、第一または第二の実施形態に係る紙葉類収容装置１００、３００と比較して、電磁ソレノイド２５０に代えて、第四の実施形態におけるレバー４１０を備えている。この点を除いて、本実施形態に係る紙葉類収容装置５００は、第一または第二の実施形態に係る紙葉類収容装置１００、３００と同一の構造を有している。
本実施形態に係る紙葉類収容装置５００においては、電磁ソレノイド２５０が行っていた動作、すなわち、枢軸２２６を中心としてプレート２２５を反時計方向に回転させる動作はレバー４１０を介して行われる。この点以外の動作は第一または第二の実施形態に係る紙葉類収容装置１００、３００の動作と同一である。
また、第三の実施形態に係る紙葉類収容装置の変形例と同様に、第三バネ部材４２０を用いることも可能である。
【００６４】
（第五の実施形態）
図３０（Ａ）及び図３０（Ｂ）は本発明の第五の実施形態に係るメダル供給装置６００の部分的な縦断面図である。
本実施形態に係るメダル供給装置６００は第三の実施形態に係る紙葉類収容装置４００を備えており、この点を除いて、メダル供給装置６００は図１に示したメダル貸機１０１と同様の構造を有している。
図３０（Ａ）に示すように、紙葉類収容装置４００のレバー４１０の下方にはメダル供給装置６００の一部品６１０（例えば、メダルタンク１０１Ｄ）が配置されている。
メダル供給装置６００の本体６１１には一部品６１０が通過可能な扉６１２が開閉自在に設けられている。
【００６５】
一部品６１０は本体６１１に対してスライド可能に設置されており、扉６１２を開けると、本体６１１の外側まで引き出すことが可能である。すなわち、一部品６１０は、レバー４１０の下方の位置と、レバー４１０の下方から離れた位置との間をスライド可能に配置されている。
一部品６１０がレバー４１０の下方に位置している場合（図３０（Ａ）の状態）におけるレバー４１０の下端と一部品６１０との間の距離Ｇは、レバー４１０を下方に引いても、第一リンク２３０を作動させることができない距離に設定されている。すなわち、レバー４１０を一部品６１０の上面まで引き下ろしても、第一リンク２３０は作動せず、従って、扉１０２のロックを解除することはできない。
【００６６】
本実施形態に係るメダル供給装置６００は以下の効果を奏する。
一部品６１０がレバー４１０の下方に位置している場合には、レバー４１０を下方に引っ張ることができないため、第一リンク２３０を作動させることができず、ひいては、扉１０２のロックを解除することはできない。レバー４１０を下方に引っ張り、扉１０２のロックを解除するためには、扉６１２を開け、一部品６１０を本体６１１の外部に引き出すことが必要となる。
このように、本実施形態に係るメダル供給装置６００によれば、レバー４１０を短時間のうちに下方に引き下げることは不可能であり、レバー４１０の引き下げを可能にするためには、相応の時間を必要とする。このため、メダル供給装置６００に紙幣を収容しておくことに対する安全性を格段に高めることが可能になる。
【００６７】
本実施形態においては、一部品６１０をスライド可能に形成したが、例えば、レバー４１０の下方の位置において一部品６１０を本体６１１（ハウジング１０１Ａ）その他の部材にネジ止めすることが可能であるように形成することも可能である。
ネジを外す作業にも相応の時間を必要とするため、一部品６１０をスライド可能に形成した場合と同様に、メダル供給装置６００に紙幣を収容しておくことに対する安全性を格段に高めることが可能になる。
なお、紙葉類収容装置４００のレバー４１０それ自体を本体６１１（ハウジング１０１Ａ）その他の部材にネジ止めすることが可能であるように形成することも可能である。
【産業上の利用可能性】
【００６８】
本発明に係る紙葉類収容装置は、従来のロック装置では防止することが不可能であった悪意のある第三者による不正解錠を防止することが可能なロック装置を備えている。このため、本発明に係る紙葉類収容装置を内蔵するメダル貸機に紙幣を収容することに対する安全性を格段に向上させることが可能である。
また、本発明に係る紙葉類収容装置を適用することが可能な機器はメダル貸機に限定されるものではなく、内部に紙幣を収容する必要性がある全ての機器が適用対象となる。例えば、街中に設置されている自動販売機その他の各種自動販売機にも適用することが可能である。
【符号の説明】
【００６９】
１００  本発明の第一の実施形態に係る紙葉類収容装置
１０１  メダル貸機
１０２  扉
２００  ロック装置
２１０  ロック板
２２０  ロック板支持部材
２３０  第一リンク
２４０  第二リンク
２５０  電磁ソレノイド
２６０  第一バネ部材
３００  本発明の第二の実施形態に係る紙葉類収容装置
３１０  プッシャー
３３０  第二バネ部材
４００  本発明の第三の実施形態に係る紙葉類収容装置
４１０  レバー
４２０  第三バネ部材
５００  本発明の第四の実施形態に係る紙葉類収容装置
６００  本発明の第五の実施形態に係るメダル供給装置
【図１】
2019083993.tif 000003
【図２】
2019083993.tif 000004
【図３】
2019083993.tif 000005
【図４】
2019083993.tif 000006
【図５】
2019083993.tif 000007
【図６】
2019083993.tif 000008
【図７】
2019083993.tif 000009
【図８】
2019083993.tif 000010
【図９】
2019083993.tif 000011
【図１０】
2019083993.tif 000012
【図１１】
2019083993.tif 000013
【図１２】
2019083993.tif 000014
【図１３】
2019083993.tif 000015
【図１４】
2019083993.tif 000016
【図１５】
2019083993.tif 000017
【図１６】
2019083993.tif 000018
【図１７】
2019083993.tif 000019
【図１８】
2019083993.tif 000020
【図１９】
2019083993.tif 000021
【図２０】
2019083993.tif 000022
【図２１】
2019083993.tif 000023
【図２２】
2019083993.tif 000024
【図２３】
2019083993.tif 000025
【図２４】
2019083993.tif 000026
【図２５】
2019083993.tif 000027
【図２６】
2019083993.tif 000028
【図２７】
2019083993.tif 000029
【図２８】
2019083993.tif 000030
【図２９】
2019083993.tif 000031
【図３０】
2019083993.tif 000032
【図３１】
2019083993.tif 000033
【図３２】
2019083993.tif 000034
【図３３】
2019083993.tif 000035
【図３４】
2019083993.tif 000036
【図３５】
2019083993.tif 000037
【図３６】
2019083993.tif 000038
【図３７】
2019083993.tif 000039